(57)【要約】【課題】配管の取り付けにネジなどの構造物を接触させることなく熱電変換モジュールを取り付けることができ、発電効率を向上させることができる熱電発電装置を得る。【解決手段】熱電発電モジュール２０の高温側と低温側の温度差を利用して発電を行う熱電発電装置であって、前記熱電発電モジュール２０は、熱源流体が流通する配管１の周囲を囲むように取り付けられ、前記熱電発電モジュール２０の低温側は前記配管１に熱伝達媒体６０を介して接続された構造を有する。【選択図】図１
2018186635.tif 000002
【特許請求の範囲】
【請求項１】
熱電発電モジュールの高温側と低温側の温度差を利用して発電を行う熱電発電装置であって、
前記熱電発電モジュールは、熱源流体が流通する配管の周囲を囲むように取り付けられ、前記熱電発電モジュールの低温側は前記配管に熱伝達媒体を介して接続された構造を有する熱電発電装置。
【請求項２】
前記熱電発電モジュールが前記配管を囲むようにし、前記配管の外側から締め付けるように力を加えることで、前記配管へ前記熱電発電モジュールを取り付けることを特徴とする請求項１に記載の熱電発電装置。
【請求項３】
前記熱電発電モジュールの高温側が放熱フィンに接し、同一放熱フィン同士がヒンジ部により接続されて複数組み合わされ、前記熱電発電モジュールが配管を囲むようにし、前記ヒンジ部と接続される接続具により前記配管の外側から締め付けるように力を加えることで取り付けることを特徴とする請求項２に記載の熱電発電装置。
【請求項４】
前記ヒンジ部の代替えとして帯状のベルトを用いると共に、前記接続具の代替として締め付けバックルを用いることを特徴とする請求項３に記載の熱電発電装置。
【発明の詳細な説明】
【技術分野】
【０００１】
この発明は、高温側と低温側との温度差を利用して発電を行う熱電発電装置に関する。
【背景技術】
【０００２】
従来から熱電変換モジュールの取り付け構造としては、熱源である高温側へネジにより安定に固定する方法が知られている（特許文献１参照）。
【先行技術文献】
【特許文献】
【０００３】
【特許文献１】特開平９−２９３９０７号公報
【発明の概要】
【発明が解決しようとする課題】
【０００４】
しかしながら、上述した従来の熱電発電モジュールの取り付け構造では、複数のネジが使用されていることから、熱伝導率の低い材料を使用したとしても、ネジが熱伝導経路となり、高温板から低温板へ熱が伝わることにより、熱電発電モジュールの発電効率が低下するという問題がある。また、ネジを使用した場合は、取り付け構造への熱伝導を抑えるために、ネジとネジの接合部に熱伝導率の低い材料を用いる必要があり、部品点数も多くなるため、経済性が課題となる。
【０００５】
この発明は、上述した点に鑑みてなされたもので、配管への取り付けにネジなどの構造物を接触させることなく熱電変換モジュールを取り付けることができ、熱伝導による熱の移動を全て熱電発電モジュールで受けることができ、発電効率を向上させることができる熱電発電装置を得ることを目的とする。
【課題を解決するための手段】
【０００６】
この発明に係る熱電発電装置は、熱電発電モジュールの高温側と低温側の温度差を利用して発電を行う熱電発電装置であって、前記熱電発電モジュールは、熱源流体が流通する配管の周囲を囲むように取り付けられ、前記熱電発電モジュールの低温側は前記配管に熱伝達媒体を介して接続された構造を有する。
【発明の効果】
【０００７】
この発明によれば、配管の取り付けにネジなどの構造物を接触させることなく熱電変換モジュールを取り付けることができ、熱伝導による熱の移動を全て熱電発電モジュールで受けることができるという効果がある。
【図面の簡単な説明】
【０００８】
【図１】この発明の実施の形態１に係る熱電発電装置を示す平面図である。
【図２】この発明の実施の形態１に係る熱電発電装置を示す説明するもので、図１に示す配管周囲の部分拡大図である。
【図３】この発明の実施の形態１に係る熱電発電装置を示す斜視図である。
【図４】この発明の実施の形態２に係る熱電発電装置を示す平面図である。
【図５】この発明の実施の形態２に係る熱電発電装置を示す斜視図である。
【発明を実施するための形態】
【０００９】
実施の形態１．
【００１０】
この発明の実施の形態１について、図１ないし図３を用いて説明する。図１はこの発明の実施の形態１に係る熱電発電装置を示す平面図、図２は図１に示す配管周囲の部分拡大図、図３はこの発明の実施の形態１に係る熱電発電装置を示す斜視図である。
【００１１】
図１ないし図３に示すように、熱源流体が流通する配管１の周囲に、熱電発電モジュール２０が取り付けられている。熱電発電モジュール２０の高温側が放熱フィン３０に接しており、同一放熱フィン同士がヒンジ部（接続部材）４０により接続され複数組み合わされている。熱電発電モジュール２０が配管１を囲むようにし、ヒンジ部４０と接続される接続具５０により配管１の外側から締め付けるように力を加えることで取り付けることができる。熱電発電モジュール２０の低温側は配管１に熱伝達媒体６０を介して接続される。ここで、配管１の径に合わせて熱電発電モジュール２０と放熱フィン３０の数を増減させることで、あらゆる径の配管１に取り付けることができる。
【００１２】
このため、この発明の実施の形態１によれば、ヒンジ部４０と接続具５０により、熱電発電モジュール２０が配管１を囲み、外側から配管１を締め付ける方向に圧力をかけることで、配管１の取り付けに、ネジなどの構造物を接触させることなく、熱電変換モジュール２０を取り付けることができ、熱伝導による熱の移動を全て熱電発電モジュール２０で受けることができるという効果がある。
【００１３】
実施の形態２．
【００１４】
次に、この発明の実施の形態２について、図４と図５を用いて説明する。図４と図５はこの発明の実施の形態２に係る熱電発電装置を示す平面図と斜視図である。図４と図５に示すように、この実施の形態２では、実施の形態１のヒンジ部４０の代替えとして帯状のベルト４１を用いる。また、接続具５０の代替として締め付けバックル５１により配管１の外側から締め付けるように力を加えることで取り付けることができる。バックル５１は締め付けたベルト４１の緩みを抑制する機能を持つ。ベルト４１の伸縮性の有無は問わない。
【００１５】
したがって、上述した各実施の形態によれば、熱源流体が流通する配管１を囲むようにして熱電発電モジュール２０を取り付けられ、熱電発電モジュール２０の取り付け構造を低温側に備えることで、熱電発電モジュール２０の取り付けと熱伝導性を向上させることができる。
【００１６】
また、熱電発電モジュール２０で、熱源流体が流通する配管１を囲み、外側から配管１を締め付ける方向に圧力をかけることで、配管１への取り付けにネジなどの構造物を接触させることなく熱電変換モジュール２０を取り付けることができる。
【００１７】
また、熱伝導による熱の移動を全て熱電発電モジュールで受けることができ、熱源流体が流通する配管１から熱電発電モジュール２０への熱伝導が、取り付け構造物への熱伝導よりも高いものとなる。
【００１８】
また、配管１を締め付ける方向に圧力がかかることにより、熱電発電モジュール２０と配管１の間に圧接力が生じ、熱伝導性を向上させるという効果がある。さらに、従来のような、ネジとネジの接合部に用いる熱伝導率の低い材料が不要となり、部品点数も少なくなるため、経済性が向上する。
【符号の説明】
【００１９】
１  配管、２０  熱電発電モジュール、  ３０  放熱フィン、  ４０  ヒンジ部（接続部材）、４１  ベルト、５０  接続具、５１  バックル、６０  熱伝達媒体。
【図１】
2018186635.tif 000003
【図２】
2018186635.tif 000004
【図３】
2018186635.tif 000005
【図４】
2018186635.tif 000006
【図５】
2018186635.tif 000007
【手続補正書】
【提出日】平成30年3月12日(2018.3.12)
【手続補正１】
【補正対象書類名】明細書
【補正対象項目名】０００６
【補正方法】変更
【補正の内容】
【０００６】
この発明に係る熱電発電装置は、熱電発電モジュールの高温側と低温側との温度差を利用して発電する熱電発電装置であって、前記熱電発電モジュールは、前記熱電発電モジュールの高温側が、放熱フィンに接し、同一の放熱フィン同士がヒンジ部により接続されて複数組み合わされ、前記熱電発電モジュールの低温側が、熱伝達媒体を介して、熱源流体の流通する配管に接続される構造を有し、前記熱電発電モジュールは、前記配管を囲むようにし、前記ヒンジ部と接続される接続具とにより、前記配管の外側から締付けるように力を加えることで、前記配管へ取付けられている。
また、この発明に係る熱発電装置は、熱電発電モジュールの高温側と低温側との温度差を利用して発電する熱電発電装置であって、前記熱電発電モジュールは、熱源流体の流通する配管を囲むようにし、帯状のベルトと締付けバックルとで、前記配管の外側から締付けるように力を加えることで、前記配管へ取付けられている。
【手続補正２】
【補正対象書類名】特許請求の範囲
【補正対象項目名】全文
【補正方法】変更
【補正の内容】
【特許請求の範囲】
【請求項１】
熱電発電モジュールの高温側と低温側との温度差を利用して発電する熱電発電装置であって、
前記熱電発電モジュールは、前記熱電発電モジュールの高温側が、放熱フィンに接し、同一の放熱フィン同士がヒンジ部により接続されて複数組み合わされ、前記熱電発電モジュールの低温側が、熱伝達媒体を介して、熱源流体の流通する配管に接続される構造を有し、
前記熱電発電モジュールは、前記配管を囲むようにし、前記ヒンジ部と接続される接続具とにより、前記配管の外側から締付けるように力を加えることで、前記配管へ取付けられる
熱電発電装置。
【請求項２】
熱電発電モジュールの高温側と低温側との温度差を利用して発電する熱電発電装置であって、
前記熱電発電モジュールは、熱源流体の流通する配管を囲むようにし、帯状のベルトと締付けバックルとで、前記配管の外側から締付けるように力を加えることで、前記配管へ取付けられる
熱電発電装置。
【手続補正書】
【提出日】平成30年9月5日(2018.9.5)
【手続補正１】
【補正対象書類名】明細書
【補正対象項目名】０００６
【補正方法】変更
【補正の内容】
【０００６】
この発明に係る熱電発電装置は、熱電発電モジュールの高温側と低温側との温度差を利用して発電する熱電発電装置であって、前記熱電発電モジュールは、前記熱電発電モジュールの高温側が、放熱フィンに接し、同一の放熱フィン同士がヒンジ部により接続されて複数組み合わされ、前記熱電発電モジュールの低温側が、熱伝達媒体を介して、熱源流体の流通する配管に接続される構造を有し、前記熱電発電モジュールは、前記配管を囲むようにし、前記ヒンジ部と接続される接続具とにより、前記配管の外側から締付けるように力を加えることで、前記配管へ取付けられている。
また、この発明に係る熱発電装置は、熱電発電モジュールの高温側と低温側との温度差を利用して発電する熱電発電装置であって、前記熱電発電モジュールは、熱源流体の流通する配管を囲むようにし、帯状のベルトと締付けバックルとで、前記配管の外側から締付けるように力を加えることにより、前記配管からの熱伝導による熱の移動を全て前記熱電発電モジュールで受けるように前記配管へ取付けられている。
【手続補正２】
【補正対象書類名】特許請求の範囲
【補正対象項目名】全文
【補正方法】変更
【補正の内容】
【特許請求の範囲】
【請求項１】
熱電発電モジュールの高温側と低温側との温度差を利用して発電する熱電発電装置であって、
前記熱電発電モジュールは、前記熱電発電モジュールの高温側が、放熱フィンに接し、同一の放熱フィン同士がヒンジ部により接続されて複数組み合わされ、前記熱電発電モジュールの低温側が、熱伝達媒体を介して、熱源流体の流通する配管に接続される構造を有し、
前記熱電発電モジュールは、前記配管を囲むようにし、前記ヒンジ部と接続される接続具とにより、前記配管の外側から締付けるように力を加えることで、前記配管へ取付けられる
熱電発電装置。
【請求項２】
熱電発電モジュールの高温側と低温側との温度差を利用して発電する熱電発電装置であって、
前記熱電発電モジュールは、熱源流体の流通する配管を囲むようにし、帯状のベルトと締付けバックルとで、前記配管の外側から締付けるように力を加えることにより、前記配管からの熱伝導による熱の移動を全て前記熱電発電モジュールで受けるように前記配管へ取付けられる
熱電発電装置。